(57)【要約】【課題】従来から習慣的に用いられていた材料や形状にこだわらずに、透明又は半透明の材料を用いて各種形状に形成すると共に戒名、写真あるいは文様等の表示部をレーザー光にて彫刻した斬新な位牌を提供する。【解決手段】透明又は半透明の合成樹脂材からなる位牌本体の背面に被記憶者等の戒名、写真あるいは文様等の表示部をレーザー光にて彫刻し、この位牌本体を透明または半透明の合成樹脂材からなる載置台の面に立設すると共にその相互間を一体化し、更に前記位牌を載置台を介し発光ダイオードを備えた基台上に重ねてネジにて着脱自在に固定し、前記発光ダイオードの光を位牌本体の下方からその内部に照射して表示部を輝かせる。【選択図】　　　　図１
2004089385.tif 000002
【特許請求の範囲】
【請求項１】
透明又は半透明の合成樹脂材からなる位牌本体の背面に被記憶者等の戒名、写真あるいは文様等の表示部をレーザー光にて彫刻し、前記位牌本体を透明または半透明の合成樹脂材からなる載置台の面に立設すると共にその相互間を一体的に接合し、更に前記位牌を載置台を介し基台上に重ねて立設すると共に当該載置台と基台との間をネジにて着脱自在に固定して成ることを特徴とする位牌。
【請求項２】
前記基台の上面における前記位牌の背面側に背板を一体的に立設したことを特徴とする請求項１記載の位牌。
【請求項３】
前記合成樹脂材がアクリル樹脂から成ることを特徴とする請求項１記載の位牌。
【請求項４】
前記基台の上面に発光手段を凹設し、当該発光手段が発する光を前記基台の上面に載置した前記載置台及び前記位牌本体内に投光して彫刻による前記表示部を照射することを特徴とする請求項１記載の位牌。
【請求項５】
前記発光手段が発光ダイオード（ＬＥＤ）から成ることを特徴とする請求項１記載の位牌。
【請求項６】
前記載置台の底面及び／又は背面に文様等をレーザー光により彫刻して成ることを特徴とする請求項１記載の位牌。
【請求項７】
前記基台の底面に被記憶者等の俗名、年齢、あるいは命日等をレーザー光により彫刻して成ることを特徴とする請求項１記載の位牌。
【発明の詳細な説明】
【０００１】
【発明の属する技術分野】
本発明は、被記憶者の戒名等の表示部を備えた位牌に関する。
【０００２】
【従来の技術】
従来から仏教では死者の戒名をしるした位牌を仏壇に祭ることが行われている。そして従来の位牌は、図７及び図８に示すように長方形あるいは下端から上方に向かって末広がりの形状等に形成された木札が慣習的に用いられていた。
【０００３】
【発明が解決しようとする課題】
しかしながら、前記従来の位牌は、美観に乏しく、見栄えのない定型の木札であった。そして木札以外の透明な材料に戒名等の表示を刻設した位牌は用いられていなかった。
【０００４】
よって本発明は前記問題点に鑑みてなされたものであり、従来から習慣的に用いられていた木札や形状にこだわらずに、透明又は半透明の材料を用いて各種形状に形成すると共に戒名、写真あるいは文様等の表示をレーザー光により彫刻し、この表示部を透明体を透して見ることができるようにした斬新な位牌の提供を目的とする。
【０００５】
【課題を解決するための手段】
上記目的を達成するため、本発明の位牌に係る請求項１は、透明又は半透明の合成樹脂材からなる位牌本体の背面に被記憶者等の戒名、写真あるいは文様等の表示部をレーザー光にて彫刻し、前記位牌本体を透明または半透明の合成樹脂材からなる載置台の面に立設すると共にその相互間を一体的に接合し、更に前記位牌を載置台を介し基台上に重ねて立設すると共に当該載置台と基台との間をネジにて着脱自在に固定して成ることを特徴とするものである。
【０００６】
請求項２は、前記基台の上面における前記位牌の背面側に背板を一体的に立設したことを特徴とする請求項１記載の位牌である。
【０００７】
請求項３は、前記合成樹脂材がアクリル樹脂から成ることを特徴とする請求項１記載の位牌である。
【０００８】
請求項４は、前記基台の上面に発光手段を凹設し、当該発光手段が発する光を前記基台の上面に載置した前記載置台及び前記位牌本体内に投光して彫刻による前記表示部を照射することを特徴とする請求項１記載の位牌である。
【０００９】
請求項５は、前記発光手段が発光ダイオード（ＬＥＤ）から成ることを特徴とする請求項１記載の位牌である。
【００１０】
請求項６は、前記載置台の底面及び／又は背面に文様等をレーザー光により彫刻して成ることを特徴とする請求項１記載の位牌である。
【００１１】
請求項７は、前記基台の底面に被記憶者等の俗名、年齢、あるいは命日等をレーザー光により彫刻して成ることを特徴とする請求項１記載の位牌である。
【００１２】
請求項１によれば、合成樹脂から成る位牌はレーザー光による彫刻が容易であり、複雑な文様等も鮮明に表現することが可能である。そして被記憶者の写真、戒名あるいは文様等をレーザー光にて彫刻した本発明の位牌は表示部を透明または半透明の合成樹脂材を透して見ることができるので斬新さを創出しかつ美観を向上することが可能となる。
更に載置台と基台との間はネジにて着脱自在に固定することが可能であり、また位牌本体と載置台とは一体化しているので基台を用いずに位牌を仏壇等に立設することができる。また載置台と一体化した位牌本体は基台を用いることにより位牌が更に引き立ち、美観が向上する。
【００１３】
請求項２によれば、基台に立設した背板は位牌の後方に屏風を立てたような荘厳さを創出することができる。なおこの背板は黒色または金色その他の配色、あるいは蓮の花等の文様を施すことにより位牌を一層引き立たせることが可能となる。
【００１４】
請求項３によれば、位牌本体がアクリル樹脂材から成ることにより透明度が良好で各種色彩を濃淡自在に着色することができる。また衝撃にも強く、レーザー光による彫刻が容易であるので量産が可能である。
【００１５】
請求項４及び５によれば、基台の上面には発光ダイオードからなる発光手段が凹設されているので、法事等の場合にはこの基台を用いて位牌を立設するこることにより、位牌をその下方から発光ダイオードの光にて照射し、表示部を輝かせて荘厳さと華やかさを創出することが可能となる。なお、発光ダイオードからなる発光手段は消費電力が少なくかつ廉価である。
【００１６】
請求項６によれば、載置台の底面及び／又は背面に文様、例えば蓮の花等をレーザー光にて彫刻することにより彫刻された文様等が発光ダイオードの光に照らされて輝き、しかも浮き上がって見えるので美観が向上する。
なお基台は黒色等の不透明色にすることにより透明又半透明な位牌との間の色彩的なコントラストが保たれ、これにより位牌が引き立ち、かつ美観が向上する。
【００１７】
請求項７によれば、基台の底面に被記憶者等の俗名、年齢、あるいは命日等をレーザー光にて彫刻しておくことにより被記憶者の詳細なデータを記録することができる。
【００１８】
【発明の実施の形態】
以下、本発明の実施の形態を図面に基づいて説明する。
【００１９】
図１から図６は本発明の実施の形態に係り、図１は位牌の正面図、図２は同側面図、図３は位牌本体と載置台とを一体化した斜視図、図４は基台の斜視図、図５は背板を立設した基台の斜視図、図６はスタンプ製造工程のフローチャートを示す図である。
【００２０】
本発明の位牌は、図１及び図２に示すように、位牌本体１、載置台２及び基台３とから成り、位牌本体１は縦長の略長方形板状にて上端が円弧に形成され、かつ左右の長辺から上端の円弧部にかけて面取４が施されている。また載置台２は矩形の平板状にて上面の各辺に面取５が施されている。そして位牌本体１及び載置台２には合成樹脂材である透明又は半透明のアクリル樹脂材が用いられ、図３に示すようにその相互間が接着剤にて一体化されている。
そしてこの位牌本体１の背面上方には故人の顔写真６あるいは好みにより蓮の花やぼん字等、その下方に戒名７等の表示が、更に載置台２の背面や底面には蓮の花等の装飾用文様８ａ，８ｂからなる表示部などが、それぞれレーザー光にて彫刻されている。
なお、レーザー光による表示部の彫刻は位牌本体１の背面に限らず、位牌本体１の内部に彫刻してもよい。
【００２１】
また、基台３は矩形の平板状でその上面における各辺に面取９が施され、黒色のアクリル樹脂材にて形成されている。そして、この基台３の上面には発光手段として発光ダイオード１０が凹設されている。発光ダイオード１０を点灯する電源としてはコード１１を介して外部の電源に接続するか、又は基台に図示しない電池を基台３に内蔵してもよい。
なお基台３の底面には、個人の俗名、年齢、あるいは命日等をレーザー光にて彫刻する等、詳細データの記録面として利用することができる。
【００２２】
更に、上記基台３と載置台２にはその両者を貫通して相互間をネジ軸１２にて締め付ける穴１２が２カ所に穿設され、ネジ軸１２は基台３の下方から挿入して載置台２上面に突出した端部に袋ナット１４を螺合することにより両者間を体裁よくかつ着脱自在に装着することができるようになっている。
このように基台３が装着された位牌本体１は、その下方から発光ダイオード１０の光にて照射され、彫刻された表示部６，７，８がその光を受けて輝くことにより美観が創出される。
【００２３】
図５は前記基台３の上面における位牌の背面側に背板１５を一体的に立設した例であり、背板１５は基台３の上面の幅と同一にかつ位牌１より高い長方形にて、あたかも位牌の後方に屏風を立てたような効果が創出されるものである。そしてこの基台３及び背板１５は黒色のアクリル樹脂にて形成することにより位牌１との色彩的コントラストが保たれ、品位及び美観が向上する。
なお背板１５は長方形に限らず各種形状に形成することができ、また配色は黒色に限らず金色その他、あるいは蓮の花や風景等の文様を施してもよい。
【００２４】
なお、位牌本体１に施すレーザー彫刻は、レーザー彫刻機による３次元彫刻法にて立体的に彫刻することができる。このレーザー彫刻機は、図３における各種スタンプ製造工程のフローチャートにおけるレーザーダイレクト方式に示されるコンピュータシステムによる最新のものである。そしてこの彫刻機は彫刻すべき所要事項をコンピュータに入力し、入力値に基づいたコンピュータの指令により直接にかつ自動的に彫刻することが可能である。従って従来の写真製版方式やレーザースタンプ方式に比べて工程数が極めて少なく、写真等の複雑な図柄でも簡単・迅速にかつ明瞭に彫刻することが可能となるものである。
【００２５】
この構成の位牌は、基台３が着脱自在であるので通常は基台３を外した状態で仏壇等に直接に飾っておくことができる。
また、葬式や法事等においては位牌本体１に基台３を装着し、基台３に備えた発光ダイオード１０の光を位牌本体１の下方からその内部に照射する。これにより、彫刻した表示部が輝き、荘厳かつ華やかさが創出される。
また、載置台と基台との間は重ね合わせられた状態であって接着剤等にて一体化されていないの、合わせ面が反射面となって載置台の底面及び／又は背面にレーザー光にて彫刻された文様等が浮き上がってみえる斬新さが創出される。
【００２６】
なお、前記実施の形態において位牌本体１に用いる材料はアクリル樹脂材に限らず、その他の合成樹脂材あるいは硝子材を用いてもよい。また形状は長方形に限らず正方形や菱形等に形成してもよく、また外形に各種カット面９を施す等により美観を向上させることが好ましい。
また、本発明の位牌の色彩は本実施の形態にて示した例に限らず各種の色を用いて美観を向上させることができる。
【００２７】
【発明の効果】
以上説明したように本発明によれば、合成樹脂の透明または半透明の位牌本体及び載置台に被記憶者の写真や戒名、その他の文様等からなる表示部をレーザー光により立体的に彫刻することにより、表示部を表側から透明体を透して見ることができる。また位牌の下方に基台を装着することにより位牌を引き立たたせ、更に基台に備えた発光手段にて位牌内を下方から照射することによりレーザー光にて彫刻した表示部を輝かせ、斬新さと荘厳さを創出しかつ美観を向上することが可能となる。
【００２８】
また背板が設けられた基台上に位牌を載置することにより位牌を更に引き立たせることが可能となる。基台は載置台との間が着脱自在であるので通常は基台を用いずに位牌本体だけを仏壇等に飾ることができる。更に基台の下面は個人の俗名、年齢、あるいは命日等をレーザー光にて彫刻する詳細データの記録面として利用できる。
【図面の簡単な説明】
【図１】本発明の実施の形態１に係る位牌の正面図である。
【図２】本発明の実施の形態１に係る位牌の側面図である。
【図３】位牌本体と載置台とを一体化した斜視図である。
【図４】基台の斜視図である。
【図５】背板を立設した基台の斜視図である。
【図６】各種スタンプ製造工程のフローチャートを示す図である。
【図７】従来の位牌を示す図である。
【図８】従来の位牌を示す図である。
【符号の説明】
１　位牌本体
２　載置台
３　基台
４，５，９　面取部
６　写真
７　戒名
８　文様
１０　発光ダイオード
１２　ネジ軸
１３　締め付け穴
１４　袋ナット
１５　背板
【図１】
2004089385.tif 000003
【図２】
2004089385.tif 000004
【図３】
2004089385.tif 000005
【図４】
2004089385.tif 000006
【図５】
2004089385.tif 000007
【図６】
2004089385.tif 000008
【図７】
2004089385.tif 000009
【図８】
2004089385.tif 000010